(57)【要約】【課題】  従来に比べ、より多くの発光面を持たせ、輝度ムラなどをより有効に防止することの可能な照射ユニットを提供する。【解決手段】  光源２と、光源２からの光を照射ユニット１の照射軸Ｚと直交する方向に３６０°の範囲で反射する第１反射面３とを有し、さらに、第１反射面３から光が放射される３６０°の範囲を放射状の適宜な区画に分割し、分割した１つの区画は、第１反射面３から放射された光が直接入射して所定の方向に反射する第２反射面４と、第１反射面３からの光の放射方向において第２反射面４の後方に位置する第３反射面５とを備え、第３反射面５には、分割した他の区画に設けられている第２反射面４によって反射された光が入射し、入射した光を所定の方向に反射する。【選択図】      図４
2011009024.tif 000002
【特許請求の範囲】
【請求項１】
光源と、前記光源からの光を前記照射ユニットの照射軸と直交する方向に所定の角度範囲で反射する第１反射面とを有しており、
さらに、前記第１反射面から光が放射される所定の角度範囲を放射状の適宜な区画に分割し、分割した１つの区画は、前記第１反射面から放射された光が直接入射して所定の方向に反射する第２反射面と、前記第１反射面からの光の放射方向において前記第２反射面の後方に位置する第３反射面とを備えており、
前記第３反射面には、前記分割した他の区画に設けられている第２反射面によって反射された光が入射し、入射した光を所定の方向に反射することを特徴とする照射ユニット。
【請求項２】
請求項１記載の照射ユニットにおいて、前記第２反射面は、前記第１反射面からの光を第１の方向に反射する第１反射部分と、前記第１反射面からの光を第２の方向に反射する第２反射部分とを有しており、前記第３反射面には、前記分割した他の区画に設けられている前記第２反射面の第２反射部分により第２の方向に反射された光が入射することを特徴とする照射ユニット。
【請求項３】
請求項２記載の照射ユニットにおいて、前記第１の方向は前記照射軸と平行な方向であり、前記第２の方向は前記照射軸と直交する所定の方向であり、前記第３反射面は、入射した光を所定の方向として前記照射軸と平行な方向に反射することを特徴とする照射ユニット。
【請求項４】
請求項２乃至請求項３のいずれか一項に記載の照射ユニットにおいて、前記第２反射面の第２反射部分は、前記第２の方向として、前記第１反射面からの光を前記照射軸と直交する複数の方向に反射することを特徴とする照射ユニット。
【請求項５】
請求項１乃至請求項４のいずれか一項に記載の照射ユニットを複数個有し、複数個の照射ユニットは、互いに照射軸が平行となるように並置されており、前記複数個の照射ユニットのうちの１つの照射ユニットの少なくとも一部の第３反射面には、他の照射ユニットの第２反射面の第２反射部分によって反射された光が入射するようになっており、前記１つの照射ユニットの光源は、他の照射ユニットの光源と、色温度を異にしていることを特徴とする照射装置。
【発明の詳細な説明】
【技術分野】
【０００１】
本発明は、照射ユニットおよび照射装置に関する。
【背景技術】
【０００２】
従来、特許文献１に示されているような灯具が提案されている。図１、図２、図３は特許文献１に示されている灯具を示す図である。なお、図１は平面図、図２は図１のＡ−Ａ線における断面図、図３は斜視図である。図１、図２、図３において、１０１は灯具、１０２は光源（照射角が比較的に狭いＬＥＤランプ）、１０３は光源１０２からの光を灯具１０１の照射軸Ｚと直交する方向に３６０°の範囲で反射する第１反射面、１０４は第１反射面１０３により反射される光の光路中に設けられて、この光を灯具１０１の照射軸Ｚと平行な方向に反射する第２反射面である。
【０００３】
ここで、光源１０２は、主たる発光方向である光軸Ｘを灯具１０１の照射軸Ｚと略合致させて設けられている。
【０００４】
また、図１、図２、図３の例では、第２反射面１０４は、第１反射面１０３から光が放射される３６０°の範囲を放射状の適宜な区画に分割し、その区画毎に光軸Ｘからの距離を変えて配置されている。
【０００５】
このような構成の従来の灯具では、光源１０２からの光を第１反射面１０３により一旦光軸Ｘに対して水平方向に拡げ、これを第２反射面１０４により灯具１０１の照射軸Ｚと平行な方向に向かわせることで、灯具の発光面積の設定が自在となる。
【先行技術文献】
【特許文献】
【０００６】
【特許文献１】特許３３５２９８９号公報
【発明の概要】
【発明が解決しようとする課題】
【０００７】
しかしながら、上述したような従来の灯具では、第１反射面１０３からの光の放射方向において第２反射面１０４の後方には、灯具１０１の照射軸Ｚと平行な方向に向かわせる光学手段が設けられていないので、第１反射面１０３からの光の放射方向において第２反射面１０４の後方には発光面を存在させることができず、従って、より多くの発光面を持たせ、輝度ムラなどをより有効に防止することができないという問題がある。
【０００８】
本発明は、従来に比べ、より多くの発光面を持たせ、輝度ムラなどをより有効に防止することの可能な照射ユニットおよび照射装置を提供することを目的としている。
【課題を解決するための手段】
【０００９】
上記目的を達成するために、請求項１記載の発明は、光源と、前記光源からの光を前記照射ユニットの照射軸と直交する方向に所定の角度範囲で反射する第１反射面とを有しており、
さらに、前記第１反射面から光が放射される所定の角度範囲を放射状の適宜な区画に分割し、分割した１つの区画は、前記第１反射面から放射された光が直接入射して所定の方向に反射する第２反射面と、前記第１反射面からの光の放射方向において前記第２反射面の後方に位置する第３反射面とを備えており、
前記第３反射面には、前記分割した他の区画に設けられている第２反射面によって反射された光が入射し、入射した光を所定の方向に反射することを特徴としている。
【００１０】
また、請求項２記載の発明は、請求項１記載の照射ユニットにおいて、前記第２反射面は、前記第１反射面からの光を第１の方向に反射する第１反射部分と、前記第１反射面からの光を第２の方向に反射する第２反射部分とを有しており、前記第３反射面には、前記分割した他の区画に設けられている前記第２反射面の第２反射部分により第２の方向に反射された光が入射することを特徴としている。
【００１１】
また、請求項３記載の発明は、請求項２記載の照射ユニットにおいて、前記第１の方向は前記照射軸と平行な方向であり、前記第２の方向は前記照射軸と直交する所定の方向であり、前記第３反射面は、入射した光を所定の方向として前記照射軸と平行な方向に反射することを特徴としている。
【００１２】
また、請求項４記載の発明は、請求項２乃至請求項３のいずれか一項に記載の照射ユニットにおいて、前記第２反射面の第２反射部分は、前記第２の方向として、前記第１反射面からの光を前記照射軸と直交する複数の方向に反射することを特徴としている。
【００１３】
また、請求項５記載の発明は、請求項１乃至請求項４のいずれか一項に記載の照射ユニットを複数個有し、複数個の照射ユニットは、互いに照射軸が平行となるように並置されており、前記複数個の照射ユニットのうちの１つの照射ユニットの少なくとも一部の第３反射面には、他の照射ユニットの第２反射面の第２反射部分によって反射された光が入射するようになっており、前記１つの照射ユニットの光源は、他の照射ユニットの光源と、色温度を異にしていることを特徴としている。
【発明の効果】
【００１４】
請求項１乃至請求項４記載の発明によれば、光源と、前記光源からの光を前記照射ユニットの照射軸と直交する方向に所定の範囲で反射する第１反射面とを有しており、
さらに、前記第１反射面から光が放射される所定の範囲を放射状の適宜な区画に分割し、分割した１つの区画は、前記第１反射面から放射された光が直接入射して所定の方向に反射する第２反射面と、前記第１反射面からの光の放射方向において前記第２反射面の後方に位置する第３反射面とを備えており、
前記第３反射面には、前記分割した他の区画に設けられている第２反射面の第２反射部分によって反射された光が入射し、入射した光を所定の方向に反射するので、従来に比べ、より多くの発光面を持たせ、輝度ムラなどをより有効に防止することの可能な照射ユニットを提供することができる。
【００１５】
また、請求項５記載の発明によれば、請求項１乃至請求項４のいずれか一項に記載の照射ユニットを複数個有し、複数個の照射ユニットは、互いに照射軸が平行となるように並置されており、前記複数個の照射ユニットのうちの１つの照射ユニットの少なくとも一部の第３反射面には、他の照射ユニットの第２反射面の第２反射部分によって反射された光が入射するようになっており、前記１つの照射ユニットの光源は、他の照射ユニットの光源と、色温度を異にしているので、前記１つの照射ユニットの光源の色温度と他の照射ユニットの光源の色温度とが異なっている場合にも、混色の度合いが増し、混色の度合いが増すことによって色ムラを改善し、また請求項１乃至請求項４記載の発明と同様に、より多くの発光面を持たせ、輝度ムラなどを有効に防止することができる。
【図面の簡単な説明】
【００１６】
【図１】特許文献１に示されている灯具を示す図である。
【図２】特許文献１に示されている灯具を示す図である。
【図３】特許文献１に示されている灯具を示す図である。
【図４】本発明の照射ユニットの概略構成例を示す図（本発明の照射ユニットの概略を説明するための図）である。
【図５】本発明の照射ユニットの概略構成例を示す図（本発明の照射ユニットの概略を説明するための図）である。
【図６】第１反射面の例を示す図である。
【図７】第１反射面の例を示す図である。
【図８】第２反射面の例を示す図である。
【図９】第２反射面の例を示す図である。
【図１０】第３反射面の例を示す図である。
【図１１】所定の角度範囲（３６０°の範囲）を放射状の適宜な区画に分割した全ての区画において、第２反射面と、その後方に第３反射面とを配置した場合の例を示す図である。
【図１２】所定の角度範囲（３６０°の範囲）を放射状の適宜な区画に分割した全ての区画において、第２反射面と、その後方に第３反射面とを配置した場合の例を示す図である。
【図１３】所定の角度範囲（３６０°の範囲）を放射状の適宜な区画に分割した一部の区画において、第２反射面、第３反射面のいずれか１つしか配置されていない場合の例を示す図である。
【図１４】所定の角度範囲（３６０°の範囲）を放射状の適宜な区画に分割した一部の区画において、第２反射面、第３反射面のいずれか１つしか配置されていない場合の例を示す図である。
【図１５】本発明の照射装置の一例を示す図である。
【図１６】本発明の照射装置の他の例を示す図である。
【図１７】所定の角度範囲が１８０°の範囲となる例を示す図である。
【図１８】光源の光軸が照射ユニットの照射軸Ｚと合致しない例を示す図である。
【発明を実施するための最良の形態】
【００１７】
以下、本発明の実施形態を図面に基づいて説明する。
【００１８】
図４、図５は本発明の照射ユニットの概略構成例を示す図（本発明の照射ユニットの概略を説明するための図）である。なお、図４は平面図、図５は図４のＡ−Ａ線における断面図である。図４、図５を参照すると、この構成例の照射ユニット１は、光源２と、前記光源２からの光を照射ユニット１の照射軸Ｚと直交する方向に所定の角度範囲（図４、図５の例では、３６０°の範囲）で反射する第１反射面３とを有しており、
さらに、前記第１反射面３から光が放射される所定の角度範囲（図４、図５の例では、３６０°の範囲）を放射状の適宜な区画に分割し、分割した１つの区画は、前記第１反射面３から放射された光が直接入射して所定の方向に反射する第２反射面４と、前記第１反射面３からの光の放射方向において前記第２反射面４の後方に位置する第３反射面５とを備えており、
前記第３反射面５には、前記分割した他の区画に設けられている第２反射面４によって反射された光が入射し、入射した光を所定の方向に反射するようになっている。
【００１９】
ここで、図４、図５の例では、光源２は、主たる発光方向である光軸Ｘを照射ユニット１の照射軸Ｚと略合致させて設けられており、光源２には、例えば、照射角が比較的に狭いＬＥＤが用いられている。
【００２０】
また、図４、図５の例では、光源２、第２反射面４、第３反射面５は、基板６上に配置されている。また、図４、図５の例では、照射ユニット１は、カバー（照射面）７を有し、第１反射面３は、カバー（照射面）７に支持されている。
【００２１】
図６、図７は、第１反射面３の例をそれぞれ示す図である。図６の例では、第１反射面３は、表面に例えばＡｌ（アルミニウム）が蒸着されたリフレクタタイプのものとして構成されている。また、図７の例では、第１反射面３は、レンズタイプのものとして構成されている。
【００２２】
また、図８（ａ），（ｂ）は、第２反射面４の例を示す図である。なお、図８（ａ）は斜視図、図８（ｂ）は平面図である。図８（ａ），（ｂ）の例では、第２反射面４は、第１反射面３からの光を第１の方向Ｚ１に反射する第１反射部分４ａと、前記第１反射面からの光を第２の方向Ｙ１に反射する第２反射部分４ｂとを有している。
【００２３】
ここで、前記第１の方向Ｚ１は、例えば、前記照射軸Ｚと平行な方向である。また、前記第２の方向Ｙ１は、例えば、前記照射軸Ｚと直交する所定の方向である。
【００２４】
そして、第２反射面４が図８の例のように構成されている場合、前記第３反射面５には、前記分割した他の区画に設けられている第２反射面４の第２反射部分４ｂによって前記照射軸Ｚと直交する所定の方向（第２の方向Ｙ１）に反射された光が入射するようになっている。
【００２５】
なお、図８（ａ），（ｂ）の例において、第２反射部分４ｂの面角度θは、第２反射部分４ｂからの光が所定の第３反射面５に入射するよう、適宜変更設定できる（例えば４５°よりも小さい任意の角度に設定できる）。
【００２６】
また、図８（ａ），（ｂ）の例では、第２反射面４の第２反射部分４ｂは、第２の方向Ｙ１として、前記第１反射面３からの光を前記照射軸Ｚと直交する１つの方向に反射するようになっているが、図９（ａ），（ｂ）に示すように（図９（ａ）は斜視図、図９（ｂ）は平面図）、第２反射面４の第２反射部分４ｂは、第２の方向Ｙ１として、第１反射面３からの光を前記照射軸Ｚと直交する複数の方向（図９（ａ），（ｂ）の例では、２つの異なる方向Ｙ２，Ｙ３）に反射するように構成されてもよく、この場合には、第１反射面３からの光が前記照射軸Ｚと直交する複数の方向に反射される分だけ、第３反射面５の個数をより多く設けることができる。例えば、放射状に分割した１つの区画に、放射方向に複数の第３反射面５を設けることができる。
【００２７】
なお、図９（ａ），（ｂ）の例においても、第２反射部分４ｂの２つの面角度φ１、φ２は、第２反射部分４ｂからの２つの方向の光が所定の２つの第３反射面５に入射するよう、それぞれ独立して、適宜変更設定できる（例えば４５°よりも小さい任意の角度にそれぞれ設定できる）。
【００２８】
また、図１０は、第３反射面５の例を示す図である。図１０の例では、第３反射面５は、これに入射した光を、所定の方向として前記照射軸Ｚと平行な方向Ｚ２に反射するようになっている。
【００２９】
なお、第２反射面４と、その後方に位置する第３反射面５とは、所定の間隔を隔てて配置することもできるし、できる限り近接させて配置することもできる。
【００３０】
このような構成の照射ユニット１では、光源２からの光は、第１反射面３によって、照射ユニット１の照射軸Ｚと直交する方向に所定の角度範囲（図４、図５の例では、３６０°の範囲）で反射され、所定の角度範囲（図４、図５の例では、３６０°の範囲）を放射状の適宜な区画に分割した区画に配置されている第２反射面４の第１反射部分４ａと第２反射部分４ｂとに入射する。そして、光源２からの光は、所定の角度範囲（図４、図５の例では、３６０°の範囲）を放射状の適宜な区画に分割した１つの区画にある第２反射面４の第１反射部分４ａによって、照射軸Ｚと平行な方向に反射されてカバー（照射面）７に向かい、また、前記第１反射面３からの光の放射方向において前記第２反射面４の後方に位置する第３反射面５には、前記分割した他の区画に設けられている第２反射面４の第２反射部分４ｂによって反射された光が入射し、この第３反射面５に入射した光は、照射軸Ｚと平行な方向に反射されてカバー（照射面）７に向かう。
【００３１】
このように、本発明では、光源２からの光を、所定の角度範囲（図４、図５の例では、３６０°の範囲）を放射状の適宜な区画に分割した１つの区画にある第２反射面４のみならず、その後方に位置する第３反射面５からも、照射軸Ｚと平行な方向に反射させてカバー（照射面）７に向かわせることができる。
【００３２】
すなわち、本発明では、所定の角度範囲（図４、図５の例では、３６０°の範囲）を放射状の適宜な区画に分割した１つの区画において、複数の（上記の例では、２つの）発光面をもたせることができ、従来のように１つの発光面しかもたせることができなかった場合に比べ、より多くの発光面を持たせ、輝度ムラなどをより有効に防止することの可能な照射ユニットを提供することができる。
【００３３】
なお、図４、図５の例では、説明を簡単にするため、所定の角度範囲（図４、図５の例では、３６０°の範囲）を放射状の適宜な区画に分割した１つの区画についてのみ、第２反射面４と、その後方に第３反射面５とが配置されている状態が図示されているが、所定の角度範囲（図４、図５の例では、３６０°の範囲）を放射状の適宜な区画に分割した他の区画についても、同様に、第２反射面４と、その後方に第３反射面５とを配置することができる。
【００３４】
図１１、図１２は、所定の角度範囲（図１１、図１２の例では、３６０°の範囲）を放射状の適宜な区画に分割した全ての区画において、第２反射面４と、その後方に第３反射面５とを配置した場合の例が示されている。なお、図１１の例は、各区画において、各第２反射面４が放射状の中心（いまの例では、光軸）Ｘから等距離に配置され、また、各第３反射面５が放射状の中心（いまの例では、光軸）Ｘから等距離に配置されている場合を示しており、図１２の例は、隣接する区画において、各第２反射面４が放射状の中心（いまの例では、光軸）Ｘから異なる距離に配置され、また、各第３反射面５が放射状の中心（いまの例では、光軸）Ｘから異なる距離に配置されている場合を示している。
【００３５】
また、図１３、図１４は、所定の角度範囲（図１３、図１４の例では、３６０°の範囲）を放射状の適宜な区画に分割した一部の区画において、第２反射面４、第３反射面５のいずれか１つしか配置されていない場合の例が示されている。なお、図１３の例は、各区画において、第２反射面４が放射状の中心（いまの例では、光軸）Ｘから等距離に配置され、また、第３反射面５が放射状の中心（いまの例では、光軸）Ｘから等距離に配置されている場合を示しており、図１４の例は、隣接する区画において、第２反射面４が放射状の中心（いまの例では、光軸）Ｘから異なる距離に配置され、また、第３反射面５が放射状の中心（いまの例では、光軸）Ｘから異なる距離に配置されている場合を示している。
【００３６】
また、所定の角度範囲（上記の例では、３６０°の範囲）を放射状の適宜な区画に分割した一部の区画において、第２反射面４、第３反射面５のいずれもが配置されていない場合も、本発明の範囲である。
【００３７】
また、上述の例では、第３反射面５と、第２反射面４の第１反射部分４ａとは、これに入射した光を、所定の方向として前記照射軸Ｚと平行な方向に反射するようになっているとし（なお、本発明では、照射軸Ｚと完全に平行な方向から少しの角度だけ傾いた方向も、照射軸Ｚと平行な方向と呼ぶとする）、これが最良の形態ではあるが、前記照射軸Ｚと必ずしも平行な方向に反射するようになっていない場合も、本発明の範囲である。
【００３８】
また、上述の例では、第２反射面４の第２反射部分４ｂは、これに入射した光を、前記照射軸Ｚと直交する所定の方向に反射するとしたが、第３反射面５が第２反射面４の第２反射部分４ｂに対して照射軸Ｚ方向にずれて位置決めされている場合には、照射軸Ｚと直交しない所定の方向に反射させる（第２反射面４の第２反射部分４ｂからの光が第３反射面５に入射するように反射させる）必要がある。
【００３９】
また、上述の各例において、各第２反射面４の形状や大きさは、同じである必要はない。同様に、各第３反射面５の形状や大きさも、同じである必要はない。
【００４０】
また、上述の例では、所定の色温度の１つの光源だけを用いた照射ユニットについて述べたが、上述したような本発明の照射ユニットを複数個有し、複数個の照射ユニットは、互いに照射軸が平行となるように並置されており、前記複数個の照射ユニットのうちの１つの照射ユニットの少なくとも一部の第３反射面には、他の照射ユニットの第２反射面の第２反射部分によって反射された光が入射する照射装置を構成することもできる。
【００４１】
なお、このような照射装置において、１つの照射ユニットの光源は、他の照射ユニットの光源と、色温度を異にすることができる。この場合にも、本発明によれば、後述のように、混色の度合いを増すことによって色ムラを改善し、また前述したと同様に、より多くの発光面を持たせ、輝度ムラなどを有効に防止することができる。
【００４２】
図１５はこのような照射装置の一例を示す図（平面図）である。図１５の例では、照射装置は、２つの照射ユニット１１、２１が、互いに照射軸が平行となるように並置されて構成されている。
【００４３】
そして、図１５の例では、２つの各照射ユニット１１、２１は、１つの照射ユニット（例えば１１）の第３反射面に他の照射ユニット（例えば２１）の第２反射面によって（より正確には、第２反射面の第２反射部分によって）反射された光が入射すること以外は、前述した照射ユニット１と同じ構成となっている。
【００４４】
すなわち、第１の照射ユニット１１は、光源１２と、前記光源１２からの光を照射ユニット１１の照射軸Ｚと直交する方向に所定の角度範囲（図１５の例では、３６０°の範囲）で反射する第１反射面１３とを有しており、
さらに、前記第１反射面１３から光が放射される所定の角度範囲（図１５の例では、３６０°の範囲）を放射状の適宜な区画に分割し、分割した１つの区画は、前記第１反射面１３から放射された光が直接入射して所定の方向に反射する第２反射面１４と、前記第１反射面１３からの光の放射方向において前記第２反射面１４の後方に位置する第３反射面１５とを備えている。ここで、光源１２には、色温度が例えば３０００Ｋのもの（例えばＬＥＤ）が用いられている。また、後述の効果をより効果的に得るために、第２反射面１４と、その後方に位置する第３反射面１５とを、できる限り近接させて配置するのが良い。
【００４５】
また、第２の照射ユニット２１は、光源２２と、前記光源２２からの光を照射ユニット２１の照射軸Ｚと直交する方向に所定の角度範囲（図１５の例では、３６０°の範囲）で反射する第１反射面２３とを有しており、
さらに、前記第１反射面２３から光が放射される所定の角度範囲（図１５の例では、３６０°の範囲）を放射状の適宜な区画に分割し、分割した１つの区画は、前記第１反射面２３から放射された光が直接入射して所定の方向に反射する第２反射面２４と、前記第１反射面２３からの光の放射方向において前記第２反射面２４の後方に位置する第３反射面２５とを備えている。ここで、光源２２には、色温度が例えば５０００Ｋのもの（例えばＬＥＤ）が用いられている。また、後述の効果をより効果的に得るために、第２反射面２４と、その後方に位置する第３反射面２５とを、できる限り近接させて配置するのが良い。
【００４６】
そして、第１の照射ユニット１１の第３反射面１５には、第２の照射ユニット２１の第２反射面２４によって（より正確には、第２反射面２４の第２反射部分によって）反射された光（色温度が例えば５０００Ｋの光）が入射するようになっている。また、第２の照射ユニット２１の第３反射面２５には、第１の照射ユニット１１の第２反射面１４によって（より正確には、第２反射面１４の第２反射部分によって）反射された光（色温度が例えば３０００Ｋの光）が入射するようになっている。
【００４７】
このような構成では、第１の照射ユニット１１の第２反射面１４からは色温度が例えば３０００Ｋの光を照射軸Ｚと平行な方向に反射させてカバー（照射面）に向かわせ、第２反射面１４の後方に位置する第３反射面１５からは色温度が例えば５０００Ｋの光を照射軸Ｚと平行な方向に反射させてカバー（照射面）に向かわせることができ、色温度が例えば３０００Ｋの光と色温度が例えば５０００Ｋの光との混色の度合いを増すことができる。同様に、第２の照射ユニット２１の第２反射面２４からは色温度が例えば５０００Ｋの光を照射軸Ｚと平行な方向に反射させてカバー（照射面）に向かわせ、第２反射面２４の後方に位置する第３反射面２５からは色温度が例えば３０００Ｋの光を照射軸Ｚと平行な方向に反射させてカバー（照射面）に向かわせることができ、色温度が例えば５０００Ｋの光と色温度が例えば５０００Ｋの光との混色の度合いを増すことができる。
【００４８】
このように、本発明の照射装置では、複数個の照射ユニットのうちの１つの照射ユニットの第３反射面には、他の照射ユニットの第２反射面の第２反射部分によって反射された光が入射するので、１つの照射ユニットの光源の色温度と他の照射ユニットの光源の色温度とが異なっている場合にも、混色の度合いが増し、混色の度合いが増すことによって色ムラを改善し、また前述したと同様に、より多くの発光面を持たせ、輝度ムラなどを有効に防止することができる。
【００４９】
なお、上述した例の照射装置では、光源１２には、色温度が例えば３０００Ｋのもの（例えばＬＥＤ）を用い、光源２２には、色温度が例えば５０００Ｋのもの（例えばＬＥＤ）を用いたが、光源１２，２２として、ドミナント波長が互いに異なるもの（例えばＬＥＤ）であって、これらを混色すると白色光源になるものを用いることもできる。この場合には、ドミナント波長が互いに異なるものの混色の度合いを増すことによって、白色光源の波長に近づき、点灯時の眩しさを軽減することができる。
【００５０】
また、図１５の例では、２つの各照射ユニット１１、２１は、１つの照射ユニット（例えば１１）の全ての第３反射面に他の照射ユニット（例えば２１）の第２反射面によって（より正確には、第２反射面の第２反射部分によって）反射された光が入射するとしたが、本発明はこれに限定されず、例えば図１６に示すように、１つの照射ユニット（例えば１１）の少なくとも一部の第３反射面に他の照射ユニット（例えば２１）の第２反射面によって（より正確には、第２反射面の第２反射部分によって）反射された光が入射し、１つの照射ユニット（例えば１１）のそれ以外の第３反射面にはこの照射ユニット（例えば１１）の第２反射面によって（より正確には、第２反射面の第２反射部分によって）反射された光が入射するように構成されていれば良い。すなわち、図１６の例では、照射ユニット１１の第３反射面１５−１、１５−２には、照射ユニット２１の第２反射面２４−２、２４−１によって反射された光が入射する一方で、照射ユニット１１の第３反射面１５−３、１５−４には、照射ユニット１１の第２反射面１４−２、１４−１によって反射された光が入射するように構成されている。また、照射ユニット２１の第３反射面２５−１には、照射ユニット１１の第２反射面１４−１によって反射された光が入射するようになっている。ここで、照射ユニット１１の第２反射面１４−１は、図９に示した構成のものであり、照射ユニット１１の第２反射面１４−２、照射ユニット２１の第２反射面２４−１、２４−２は、図８に示した構成のものである。
【００５１】
なお、上述した図１５または図１６の例において、各第２反射面１４の形状や大きさは、同じである必要はない。同様に、各第３反射面１５の形状や大きさも、同じである必要はない。同様に、各第２反射面２４の形状や大きさも、同じである必要はない。同様に、各第３反射面２５の形状や大きさも、同じである必要はない。
【００５２】
また、上述した各例、例えば図４、図５の例では、光源２からの光を照射ユニット１の照射軸Ｚと直交する方向に３６０°の範囲で反射するとしたが、所定の角度範囲としては、例えば図１７に示すように１８０°の範囲などとすることもできる。
【００５３】
また、上述の各例、例えば図４、図５の例では、光源２は、主たる発光方向である光軸Ｘを照射ユニット１の照射軸Ｚと略合致させて設けられているとしたが、例えば図１８に示すように光源２と第１反射面３との間にミラー８などを介在させることもでき、このときには、光源２の光軸は照射ユニット１の照射軸Ｚと合致しない。
【産業上の利用可能性】
【００５４】
本発明は、一般照明、車両灯、遊戯機器などに利用可能である。
【符号の説明】
【００５５】
１、１１、２１          照射ユニット
２、１２、２２          光源
３、１３、２３          第１反射面
４、１４、２４          第２反射面
４ａ                    第１反射部分
４ｂ                    第２反射部分
５、１５、２５        第３反射面
６        基板
７        カバー（照射面）
８        ミラー
【図１】
2011009024.tif 000003
【図２】
2011009024.tif 000004
【図３】
2011009024.tif 000005
【図４】
2011009024.tif 000006
【図５】
2011009024.tif 000007
【図６】
2011009024.tif 000008
【図７】
2011009024.tif 000009
【図８】
2011009024.tif 000010
【図９】
2011009024.tif 000011
【図１０】
2011009024.tif 000012
【図１１】
2011009024.tif 000013
【図１２】
2011009024.tif 000014
【図１３】
2011009024.tif 000015
【図１４】
2011009024.tif 000016
【図１５】
2011009024.tif 000017
【図１６】
2011009024.tif 000018
【図１７】
2011009024.tif 000019
【図１８】
2011009024.tif 000020